(57)【要約】【課題】患者の食事の摂取内容に応じて医師の処方を支援するシステムを提供する。【解決手段】本発明の食事内容に基づく処方支援システム及びこのシステムに用いるプログラムは、食品毎の栄養価を登録する第１データベースと、薬品名と対応付けて薬品量に対する栄養素の増減量を登録する第２データベースと、患者に必要な栄養素の必要値を病気の種類別に登録する第３データベースと、患者の食事の摂取量と前記第１データベースに登録された食品毎の栄養価とに基づき、患者が食事により摂取した栄養素の摂取量を算出する摂取量算出手段と、前記摂取量算出手段の算出結果を前記第３データベースに登録された栄養素の必要値と比較して得る栄養素の過剰分または不足分を調整するために、前記第２データベースに登録された薬品量に対する栄養素の増減量に基づき、前記過剰分または不足分を補うための薬品の選定及び処方量の算出を行う薬品選定・処方量算出手段とを備える。【選択図】        図１
2004302967.tif 000002
【特許請求の範囲】
【請求項１】
食品毎の栄養価を登録する第１データベースと、
薬品名と対応付けて薬品量に対する栄養素の増減量を登録する第２データベースと、
患者に必要な栄養素の必要値を病気の種類別に登録する第３データベースと、患者の食事の摂取量と前記第１データベースに登録された食品毎の栄養価とに基づき、患者が食事により摂取した栄養素の摂取量を算出する摂取量算出手段と、
前記摂取量算出手段の算出結果を前記第３データベースに登録された栄養素の必要値と比較して得る栄養素の過剰分または不足分を調整するために、前記第２データベースに登録された薬品量に対する栄養素の増減量に基づき、前記過剰分または不足分を補うための薬品の選定及び処方量の算出を行う薬品選定・処方量算出手段とを備える食事内容に基づく処方支援システム。
【請求項２】
前記第３データベースに登録される患者に必要な栄養素の必要値には範囲が設定されており、薬品選定・処方量算出手段は、患者の栄養素の摂取量が過剰なときは前記範囲の上限値との差を前記過剰分として算出し、また、患者の栄養素の摂取量が不足しているときは前記範囲の下限値との差を前記不足分として算出し、こうして得られる過剰分または不足分を補うための薬品の選定及び処方量の算出を行うことを特徴とする請求項１に記載の食事内容に基づく処方支援システム。
【請求項３】
前記薬品選定・処方量算出手段によって選定された薬品と、算出された処方量とを医師クライアントに伝送するための伝送手段をさらに備える請求項１または２に記載の食事内容に基づく処方支援システム。
【請求項４】
取り合わせの悪い食品及び薬品の組合せと、この組合せに対する禁忌内容とを登録する第４データベースと、
前記薬品選定・処方量算出手段によって選定された薬品が医師によって選択されると、この薬品を前記第４データベースの登録内容と照合し、患者が摂取した食品と当該薬品との取り合わせが悪い場合は、当該薬品及び食品の組合せに対する禁忌内容を医師クライアントに伝送する禁忌内容伝送手段とをさらに備える請求項１ないし３のいずれか一項に記載の食事内容に基づく処方支援システム。
【請求項５】
患者の食事内容に基づいて処方内容の決定を支援するために、コンピュータに、患者の食事の摂取量と第１データベースに登録された食品毎の栄養価とに基づき、患者が食事により摂取した栄養素の摂取量を算出する摂取量算出手段、及び、
患者に必要な栄養素の必要値を病気の種類別に登録する第３データベースに登録された栄養素の必要値と前記摂取量算出手段の算出結果とを比較して得る栄養素の過剰分または不足分を調整するために、第２データベースに登録された薬品量に対する栄養素の増減量に基づき、前記過剰分または不足分を補うための薬品の選定及び処方量の算出を行う薬品選定・処方量算出手段として機能させることを特徴とする食事内容に基づく処方支援システムに用いるプログラム。
【発明の詳細な説明】
【０００１】
【発明の属する技術分野】
本発明は、食事内容に基づく処方行為を支援するための情報を提供する食事内容に基づく処方支援システム及びこのシステムに用いるプログラムに関する。
【０００２】
【従来の技術】
図４は、従来の栄養指導システムを概略的に示すシステム構成図である。
図４に示すように、従来の栄養指導システムは、医師が患者の疾病に応じて作成した栄養指導の指示データをコンピュータネットワークから取り込む指示データ取り込みステップＳ１００と、栄養指導を行なう患者の検査結果，患者が服用している薬剤情報をＬＡＮ接続装置を介して取り込むステップＳ１１０と、栄養士によって入力装置から患者の訴えが入力されるステップＳ１２０と、栄養指導の補助記録を出力するステップＳ１３０と、出力された栄養指導の記録をデータベース化するステップＳ１４０とをそれぞれ実行する手段を備え、栄養指導に利用するデータ及びそのデータに基づいた栄養指導の記録を管理していた（例えば特許文献１参照。）。
【０００３】
【特許文献１】
特開２０００−３４８０１３号公報（第４−第５頁、第２図）
【０００４】
【発明が解決しようとする課題】
しかしながら、従来の栄養指導システムは、医師が患者の疾病に応じて栄養の指導をするに留まり、食事の摂取内容に応じて処方を行うシステムは確立されていなかった。医療の現場においては、食事を主体として治療を行うことが望ましいが、このようなニーズに合ったシステムは存在していなかった。
【０００５】
本発明は、以上のような課題を解決するためになされたもので、特に、患者の食事の摂取内容に応じて医師が処方を行う食事内容に基づく処方支援システム及びこのシステムに用いるプログラムを提供することを目的とする。
【０００６】
【課題を解決するための手段】
本発明の食事内容に基づく処方支援システムは、食品毎の栄養価を登録する第１データベースと、薬品名と対応付けて薬品量に対する栄養素の増減量を登録する第２データベースと、患者に必要な栄養素の必要値を病気の種類別に登録する第３データベースと、患者の食事の摂取量と前記第１データベースに登録された食品毎の栄養価とに基づき、患者が食事により摂取した栄養素の摂取量を算出する摂取量算出手段と、前記摂取量算出手段の算出結果を前記第３データベースに登録された栄養素の必要値と比較して得る栄養素の過剰分または不足分を調整するために、前記第２データベースに登録された薬品量に対する栄養素の増減量に基づき、前記過剰分または不足分を補うための薬品の選定及び処方量の算出を行う薬品選定・処方量算出手段とを備える。
【０００７】
また、前記第３データベースに登録される患者に必要な栄養素の必要値には範囲が設定されており、薬品選定・処方量算出手段は、患者の栄養素の摂取量が過剰なときは前記範囲の上限値との差を前記過剰分として算出し、また、患者の栄養素の摂取量が不足しているときは前記範囲の下限値との差を前記不足分として算出し、こうして得られる過剰分または不足分を補うための薬品の選定及び処方量の算出を行う。
【０００８】
また、前記薬品選定・処方量算出手段によって選定された薬品と、算出された処方量とを医師クライアントに伝送するための伝送手段をさらに備える。
【０００９】
また、取り合わせの悪い食品及び薬品の組合せと、この組合せに対する禁忌内容とを登録する第４データベースと、前記薬品選定・処方量算出手段によって選定された薬品が医師によって選択されると、この薬品を前記第４データベースの登録内容と照合し、患者が摂取した食品と当該薬品との取り合わせが悪い場合は、当該薬品及び食品の組合せに対する禁忌内容を医師クライアントに伝送する禁忌内容伝送手段とをさらに備える。
【００１０】
本発明の食事内容に基づく処方支援システムに用いるプログラムは、患者の食事内容に基づいて処方内容の決定を支援するために、コンピュータに、患者の食事の摂取量と第１データベースに登録された食品毎の栄養価とに基づき、患者が食事により摂取した栄養素の摂取量を算出する摂取量算出手段、及び、患者に必要な栄養素の必要値を病気の種類別に登録する第３データベースに登録された栄養素の必要値と前記摂取量算出手段の算出結果とを比較して得る栄養素の過剰分または不足分を調整するために、第２データベースに登録された薬品量に対する栄養素の増減量に基づき、前記過剰分または不足分を補うための薬品の選定及び処方量の算出を行う薬品選定・処方量算出手段として機能させるプログラムである。
【００１１】
【発明の実施の形態】
以下、図面と共に本発明による食事内容に基づく処方支援システム及びこのシステムに用いるプログラムの好適な実施の形態について詳細に説明する。
このシステムは、入院患者の食事内容に基づいて医師の処方行為を支援するための処方情報を提供するシステムである。
【００１２】
図１は、本発明の食事内容に基づく処方支援システムの構成を示すシステム構成図である。
図１に示すように、病院サーバ１は、後述する各種データ（表１ないし表１１で表す）を記憶保持する病院データベース（Ｄａｔａ  Ｂａｓｅ：以下、ＤＢと略す）２を備える。
また、病院サーバ１は、院内ＬＡＮ（Ｌｏｃａｌ  Ａｒｅａ  Ｎｅｔｗｏｒｋ）等で構成されるネットワーク３を通じて医師クライアント４、看護師クライアント５、及び、栄養士クライアント６と接続されている。
【００１３】
病院サーバ１は、患者の食事の摂取量と第１データベースとしての病院ＤＢ２に登録された食品毎の栄養価とに基づき、患者が食事により摂取した栄養素の摂取量を算出する摂取量算出手段と、摂取量算出手段の算出結果を第３データベースとしての病院ＤＢ２に登録された栄養素の必要値と比較して得る栄養素の過剰分または不足分を調整するために、この過剰分または不足分を補うための薬品の選定及び処方量の算出を行う薬品選定・処方量算出手段と、薬品選定・処方量算出手段としての病院サーバ１によって選定された薬品が医師によって選択されると、この薬品を第４データベースとしての病院ＤＢ２の登録内容と照合し、患者が摂取した食品と当該薬品との取り合わせが悪い場合は、当該薬品及び食品の組合せに対する禁忌内容を医師クライアント４に伝送する禁忌内容伝送手段としての機能を担うサーバである。
【００１４】
病院ＤＢ２は、食品毎の栄養価を登録する第１データベースと、薬品名と対応付けて薬品量に対する栄養素の増減量を登録する第２データベース、患者に必要な栄養素の必要値を病気の種類別に登録する第３データベース、及び、取り合わせの悪い食品及び薬品の組合せと、この組合せに対する禁忌内容とを登録する第４データベースとしての役割を担うほか、後述する表１データないし表１１データを登録するデータベースである。
【００１５】
医師クライアント４、看護師クライアント５、及び、栄養士クライアント６は、医師、看護師、及び、栄養士が使用する端末であり、Ｐｅｒｓｏｎａｌ  Ｃｏｍｐｕｔｅｒ（ＰＣ）で構成することができる。特に図示しないが、これらの各クライアントは、後述する表データを表示するためのモニタを備える。
【００１６】
図２（ａ）〜（ｄ）は、本発明の食事内容に基づく処方支援システムにおける各種情報（患者情報、食事オーダメニュー、食事実施メニュー及び処方オーダ）を入力するための画面を示す図である。
【００１７】
図２（ａ）に示す患者情報入力画面は、医師クライアント４または看護師クライアント５のモニタ（共に図示せず）に表示されるものであり、患者情報である患者名、性別、生年月日、病名及び嗜好内容を入力するための画面である。この患者情報は医師または看護師によって入力される。
【００１８】
図２（ｂ）に示す食事オーダメニュー入力画面は、医師クライアント４または看護師クライアント５のモニタに表示されるものであり、患者毎の食事メニューを入力するための画面である。この画面において食事メニューをマウスポインタで右クリックすると、ヒント表示でおかずの内容を表示することができる。食事メニューのオーダは、医師または看護師が行う。
【００１９】
図２（ｃ）に示す食事実施メニュー画面は、実際の患者の食事量を入力するための画面である。この食事量は、看護師が計測して看護師クライアント５を通じて病院ＤＢ２に登録するものである。
図２（ｄ）に示す処方オーダ画面は、該当患者に対する薬品オーダを発行するための画面である。ラジオボックスには「食事摂取内容に応じた処方」と「食事内容との禁忌チェック」の２つからいずれかを選択できるように構成されている。これらの内容については後述する。この処方オーダ画面は、医師クライアント４のモニタに表示されるものであり、処方オーダ（すなわち処方行為）は医師のみが行える。
また、以下では、各表に登録されたデータを病院ＤＢ２内の表１データ〜表１１データと称する。
【００２０】
【表１】
2004302967.tif 000003
【００２１】
表１は、患者が病院で摂取する食事の献立を表示する表１データを示す。
ここでは、一例として、標準食１、標準食２、標準食３、特別食１、特別食２、及び、特別食３のそれぞれにつき、主食、おかず１、おかず２、おかず３、及び、おやつの種類を表示している。この献立は、栄養士が栄養士クライアント６を通じて表１データとして病院ＤＢ２に登録する。
【００２２】
【表２】
2004302967.tif 000004
【００２３】
表２は、食品名に対する栄養価を表示する表２データを示す。
ここでは、一例として、ご飯、玄米、うどん、おかゆ、肉、野菜、チーズ、みかん、及び、バナナにつき、エネルギー（Ｋｃａｌ）、たんぱく質（ｇ）、糖分（ｇ）、塩分（ｇ）、ビタミンＡ（ｍｇ）、ビタミンＢ（ｍｇ）、ビタミンＣ（ｍｇ）、ビタミンＤ（ｍｇ）、鉄（ｍｇ）、亜鉛（ｍｇ）、カルシウム（ｍｇ）の含有量等を表示する。このような表２データは、予め病院ＤＢ２内に記憶保持されている。
【００２４】
【表３】
2004302967.tif 000005
【００２５】
表３は、患者毎の食事摂取量を表示する表３データを示す。
表３に示す食事摂取量は、上述したように、看護師クライアント５を通じて看護師が食事摂取量を患者ＩＤ及び摂取日時と共に病院ＤＢ２に登録するものである。
【００２６】
【表４】
2004302967.tif 000006
【００２７】
表４は、栄養価単価による患者毎の食事摂取量を表示する表４データを示す。これは、患者が摂取した食事毎の栄養価を表したものであり、表１データ及び表２データに基づいて病院サーバ１内で作成されるデータである。
【００２８】
【表５】
2004302967.tif 000007
【００２９】
表５は、薬品と食品名との組合せにおける禁忌内容を表示する表５データを示す。
ここでは、一例として、魚、肉、アルコールを摂取した場合に薬品Ａ、Ｂ、Ｃをそれぞれ服用した場合の禁忌内容を、「禁忌」または「注意」のいずれかで表す。具体的には、精神安定剤や睡眠薬（トリアゾラム等）はアルコールにより鎮静効果が強くなりすぎ、記憶障害を起こすことがあるので、禁忌内容としては「注意」を表示することとする。このような表５データは予め病院ＤＢ２内に記憶保持されている。
【００３０】
【表６】
2004302967.tif 000008
【００３１】
表６は、薬品と栄養価との関係を表示する表６データを示す。
ここでは、一例として、薬品Ａ、Ｂにつき、単位数（何包、何錠）、栄養素の増減効果（＋または−）、たんぱく質、糖分、塩分、ビタミンＡ、ビタミンＢ、ビタミンＣ、ビタミンＤ、鉄、カルシウムの調整量を表示する。
【００３２】
この表６データは予め病院ＤＢ２内に記憶保持されているものである。ここで、増減効果が（＋）とは、不足している栄養素を補う場合に用いる薬品であることを示し、一方、増減効果が（−）とは、過度に摂取した栄養素を調整するために用いる薬品であることを示す。この表６データは、予め病院ＤＢ２に登録されているものである。
【００３３】
すなわち、表５における薬品Ａは、増減効果が（＋）で、かつ、ビタミンＡ及びビタミンＢの調整量がそれぞれ５（ｍｇ）ずつなので、薬品Ａを摂取することにより、ビタミンＡ及びビタミンＢをそれぞれ５（ｍｇ）ずつ補給することができる。一方、薬品Ｂは、増減効果が（−）で、かつ、糖分の調整量が５（ｇ）となっているので、薬品Ｂを摂取することにより、糖分５（ｇ）を摂取しなかったことにできる。
【００３４】
【表７】
2004302967.tif 000009
【００３５】
表７は、患者毎の嗜好内容を表示する表７データを示す。
ここでは、嗜好内容の一例として、患者ＩＤ、好きなもの、及び、嫌いなものを表示する。
この表７データは、患者の入院時に医師または看護師が医師クライアント４または看護師クライアント５を通じて病院ＤＢ２に登録するものである。
【００３６】
【表８】
2004302967.tif 000010
【００３７】
表８は、患者と病名との関係を表示する表８データを示す。
ここでは、一例として、患者ＩＤ、病名１、及び、病名２を表示する。表記の種類が１種類の時は病名１にのみ病名が表示され、３種類以上ある場合は、病名３以下の病名が表示される場合を示す。この表８データは、医師クライアント４を通じて医師によって病院ＤＢ２に登録されるものである。
【００３８】
【表９】
2004302967.tif 000011
【００３９】
表９は、患者テーブルを表示する表９データを示す。
ここでは、一例として、患者ＩＤ、患者名、生年月日、及び、性別を表示する場合を示す。
この表９データは、医師クライアント４または看護師クライアント５を通じて医師または看護師によって病院ＤＢ２に登録される。
【００４０】
【表１０】
2004302967.tif 000012
【００４１】
表１０は、病名別一食分の栄養素摂取量を表示する表１０データを示す。
ここでは、一例として、糖尿病、及び、脚気につき、たんぱく質（ｇ）、糖分（ｇ）、塩分（ｇ）、ビタミンＡ、ビタミンＢ、ビタミンＣ、ビタミンＤ、鉄、亜鉛、及び、カルシウムの摂取量の許容範囲（最低値と最高値によって確定される範囲）を示す。この表１０データは予め病院ＤＢ２に登録されている。
【００４２】
【表１１】
2004302967.tif 000013
【００４３】
表１１は、患者別の処方内容を表示する表１１データを示す。
ここでは、一例として、患者ＩＤに対して、処方内容、処方量、処方単位、及び、服用時を表示する場合を示す。
この表１１データは、医師クライアント４を通じて医師によって病院ＤＢ２に登録される。
【００４４】
以上、これらの表１〜表１１の内容は、全て病院ＤＢ２に登録されている。
また、病院ＤＢ２内の表７データ、表８データ及び表９データは、患者情報を構成する。
【００４５】
図３は、本発明の食事内容に基づく処方支援システムにより、医師の処方行為を支援する際の処理手順を示すフローチャートである。この処理手順は、病院サーバ１内で行われる処理であり、本発明の食事内容に基づく処方支援システムに用いるプログラムによって実行されるものである。
【００４６】
図３に示す処理は、医師の処方行為を支援するためのものであるから、ステップＳ１の前段階として、医師ＩＤを用いた照合処理を行う。
まず、ステップＳ１において、患者ＩＤの入力を要求する。入力があった場合はフローはステップＳ２に進行し、検索ボタンの押し下げを要求する。この検索ボタンは図２（ｄ）に示す処方オーダ画面に表示されるものである。
【００４７】
検索ボタンが押し下げられると、「食事摂取内容に応じた処方」と「食事内容との禁忌チェック」のいずれが選択されたかを判定する。これは、図２（ｄ）に示す処方オーダ画面のラジオボタンのいずれが選択されたかを判定する処理である。処方処理が選択された場合はフローがステップＳ４に進行し、禁忌チェックが選択された場合はフローがステップＳ２０に進行する。
【００４８】
ステップＳ４では、病院ＤＢ２内の表８データに基づき、当該患者の病名を検索する。
ステップＳ５では、当該患者の病名に対して一食分における栄養素の摂取量を求める。
ステップＳ６では、表３データに登録されている食名について、表１データ及び表２データの内容を用いて、患者が摂取した食事毎の栄養素の摂取量を表示する表４データを作成する。
【００４９】
続くステップＳ７では、表４データと表１０データとを各栄養素毎に比較し、過度に摂取している栄養素、及び、不足している栄養素を選別する。
さらにステップＳ８では、表６データにおける増減効果が（＋）、（−）の栄養素の薬品を選定する。ここで、（＋）とは、不足している栄養素を補う場合に用いる薬品であることを示し、一方、（−）とは、過度に摂取した栄養素を調整するために用いる薬品であることを示す。
このステップＳ８では、ステップＳ７において過剰に摂取しているとして選別された栄養素、または、不足しているとして選別された各栄養素の摂取量が表１０データに示す許容範囲内に収まるようにするために必要な薬品名の選定及び処方量の算出を行う。
【００５０】
なお、ここでは表１０データが範囲を持って設定されている場合を示すが、各栄養素について各病気の患者が摂取してよい単一の値（最高値、最低値、通常値のいずれでもよい）が設定されている場合は、ステップＳ８において、過剰または不足している栄養素を前記単一の値にするために必要な薬品の選定及び処方量の算出を行うようにすればよい。
【００５１】
ステップＳ９では、図２（ｄ）に示す処方オーダ画面の薬品欄に、ステップＳ８で選定された薬品名と処方量を表示する。
以上で「食事摂取内容に応じた処方」処理は終了する。
【００５２】
ステップＳ３で「食事内容との禁忌チェック」が選択された場合は、ステップＳ２０において、図２（ｄ）に示す処方オーダ画面の薬品欄に処方したい薬品名を入力することを要求する。
薬品名が入力された場合は、ステップＳ２１において、表１データ及び表３データに基づき、患者が摂取した食品名を抽出する。
【００５３】
続くステップＳ２２では、ステップＳ２０で入力された薬品とステップＳ２１で抽出した食品との組合せにおいて、表５データに該当する禁忌内容があるか否かを判定する。
該当する禁忌内容がない場合はフローは終了し、該当する禁忌内容がある場合はフローはステップＳ２３に進行する。
ステップＳ２３では、ステップＳ２２において見つかった禁忌内容を図２（ｄ）に示す処方オーダ画面の注意内容の欄に表示する。
以上でフローは終了する。
【００５４】
以上、本発明の食事内容に基づく処方支援システムによれば、入院患者が食事を通じて摂取する栄養素の摂取量に基づき、不足分または過剰分を補うための薬品の選定・処方量の算出を行うので、患者の食事内容に応じて処方のために有益な薬品及び処方量に関する情報を提供することができる。
【００５５】
また、第３データベースとしての病院ＤＢ２に登録される患者に必要な栄養素の必要値には範囲が設定されており、薬品選定・処方量算出手段としての病院サーバ１は、患者の栄養素の摂取量が過剰なときは前記範囲の上限値との差を前記過剰分として算出し、また、患者の栄養素の摂取量が不足しているときは前記範囲の下限値との差を前記不足分として算出し、こうして得られる過剰分または不足分を補うための薬品の選定及び処方量の算出を行うので、患者の食事内容に応じて処方のために最適な薬品及び処方量に関する情報を提供することができる。
【００５６】
また、薬品選定・処方量算出手段としての病院サーバ１によって選定された薬品と、算出された処方量とを医師クライアントに伝送するための伝送手段をさらに備えるので、医師は、患者の食事内容により則した処方を行うことができる。
【００５７】
また、取り合わせの悪い食品及び薬品の組合せと、この組合せに対する禁忌内容とを登録する第４データベースとしての病院ＤＢ２と、前記薬品選定・処方量算出手段としての病院サーバ１によって選定された薬品が医師によって選択されると、この薬品を前記第４データベースとしての病院ＤＢ２の登録内容と照合し、患者が摂取した食品と当該薬品との取り合わせが悪い場合は、当該薬品及び食品の組合せに対する禁忌内容を医師クライアントに伝送する禁忌内容伝送手段とをさらに備えるので、食事内容と取り合わせの悪い薬品を用いた処方を未然に抑止することのできる食事内容に基づく処方支援システムを提供することができる。
【００５８】
本発明の食事内容に基づく処方支援システムに用いるプログラムは、患者の食事内容に基づいて処方内容の決定を支援するために、コンピュータに、患者の食事の摂取量と第１データベースに登録された食品毎の栄養価とに基づき、患者が食事により摂取した栄養素の摂取量を算出する摂取量算出手段、及び、患者に必要な栄養素の必要値を病気の種類別に登録する第３データベースに登録された栄養素の必要値と前記摂取量算出手段の算出結果とを比較して得る栄養素の過剰分または不足分を調整するために、第２データベースに登録された薬品量に対する栄養素の増減量に基づき、前記過剰分または不足分を補うための薬品の選定及び処方量の算出を行う薬品選定・処方量算出手段として機能させるので、患者の食事内容に応じて処方のために有益な薬品及び処方量に関する情報を提供するためのプログラムを提供することができる。
【００５９】
【発明の効果】
本発明の食事内容に基づく処方支援システムは、食品毎の栄養価を登録する第１データベースと、薬品名と対応付けて薬品量に対する栄養素の増減量を登録する第２データベースと、患者に必要な栄養素の必要値を病気の種類別に登録する第３データベースと、患者の食事の摂取量と前記第１データベースに登録された食品毎の栄養価とに基づき、患者が食事により摂取した栄養素の摂取量を算出する摂取量算出手段と、前記摂取量算出手段の算出結果を前記第３データベースに登録された栄養素の必要値と比較して得る栄養素の過剰分または不足分を調整するために、前記第２データベースに登録された薬品量に対する栄養素の増減量に基づき、前記過剰分または不足分を補うための薬品の選定及び処方量の算出を行う薬品選定・処方量算出手段とを備えるので、患者の食事内容に応じて処方のために有益な薬品及び処方量に関する情報を提供することができる。
【図面の簡単な説明】
【図１】本発明の食事内容に基づく処方支援システムの構成を示すシステム構成図である。
【図２】本発明の食事内容に基づく処方支援システムにおける各種情報（患者情報、食事オーダメニュー、食事実施メニュー及び処方オーダ）を入力するための画面を示す図である。
【図３】本発明の食事内容に基づく処方支援システムにより、医師の処方行為を支援する際の処理手順を示すフローチャートである。
【図４】従来の栄養指導システムを概略的に示すシステム構成図である。
【符号の説明】
１  病院サーバ、２  病院ＤＢ、３  ネットワーク、４  医師クライアント、５  看護師クライアント、６  栄養士クライアント。
【図１】
2004302967.tif 000014
【図２】
2004302967.tif 000015
【図３】
2004302967.tif 000016
【図４】
2004302967.tif 000017